(57)【特許請求の範囲】
【請求項１】
筆記用具の側面に、弾力性及び摩擦抵抗性のあるシリコンゴム等のゴム材を貼り付けたことを特徴とするページめくり付筆記用具。
【請求項２】
前記シリコンゴム等のゴム材をこぶ状の突起にしたことを特徴とする請求項１記載のページめくり付筆記用具。
【請求項３】
前記シリコンゴム等のゴム材に凹凸部を設けたことを特徴とする請求項１または２に記載のページめくり付筆記用具。
【発明の詳細な説明】
【技術分野】
【０００１】
本発明は、書類等をめくるためのページめくり機能を設けた筆記用具に関するものである。
【背景技術】
【０００２】
書類等をめくるために指を舐めたり、水を含ませたスポンジ等に指を濡らしたりしてページをめくっていたが、指を舐めて書類をめくることは、周囲に不潔な印象を与え、水を含ませたスポンジ等に指を濡らすと紙面を汚す恐れがあった。これに代えて、指先にサックをはめてページをめくっていたが、書類をめくるたびに、指サックをはめたりはずしたりするので、煩わしくまた長時間はめていると、指が蒸れたりの不快感があった。さらには指の太さも個人差があり、ある程度までは対応できるが対応可能範囲が限られており、また、爪を伸ばしたりネイルアートの装飾品により装着が困難であった。例えば、特許文献１は、バンド体を指に巻きつける帳簿めくり具であるが、剥離紙を剥がして指に巻きつけるため装着が煩わしく指に不快感があり、事務作業において、書類を書いたりめくったり整理したりなどの様々な作業を連続して行う場合、指に巻きつけたバンド体がじゃまになるという問題点がある。
【０００３】
上記問題点を解消するために、特許文献２のように、筆記用具本体にゴムリングをつけ、ゴムリングに外面の溝や内面の溝と突起を設けるぺージめくり用ゴムリングが提案されており、また、特許文献３のように、円筒状の一端を閉止し他端に袋状の天然ゴム等よりなり小突起を設けた帳票めくり具が提案されている。また、特許文献４・特許文献５のようにペンの頭部にゴム片を貼り付けたものや特許文献６・特許文献７のようにキャップにゴム片を貼り付けたものが提案されている。
【０００４】
【特許文献１】実用新案登録第３１２５３５４号公報
【特許文献２】特開２００４−３４５３３５号公報
【特許文献３】特開２０００−２５５１８４号公報
【特許文献４】実用新案登録第３１１４１２２号公報
【特許文献５】実用新案登録第３１０９０１２号公報
【特許文献６】実開平７−１８８８９号公報
【特許文献７】実開昭５３−１０００３８号公報
【発明の開示】
【発明が解決しようとする課題】
【０００５】
しかし、特許文献２のようなぺージめくり用ゴムリングは、ペン先部に取り付けるため紙面を汚すという問題点がある。
【０００６】
また、特許文献３の帳票めくり具は円筒状の上端を閉止した構造のため、クリップ付きの筆記用具やノック式の筆記用具に装着した場合、クリップやノック式の機能を損なうなど、様々な形状やサイズの筆記用具に対応できず  また、装着しにくいという問題点がある。
【０００７】
また、特許文献４・５のペンの頭部にゴム片を貼り付けた場合、ノック式ではいつも指が触れるため指脂が付き、摩擦抵抗性がなくなり滑りやすくなる。このためページめくり機能が落ちる。また、紙面にペン頭部を押し付けたときノック機能が働きペン頭部が上下し不安定になるためページがめくりにくいという問題がある。
【０００８】
また、特許文献６・特許文献７のようにキャップにページめくりのためのゴム片を設けたものもあるが、ページをめくったり書類を書いたりの連続作業をする場合キャップを外したり付けたりが煩わしいという問題がある。
【０００９】
本発明は、上記の問題を解決し常に鞄やポケットに携帯している筆記用具にめくる機能を備え、書いたりめくったりの連続作業が即座に出来ることを目的とするものである。
【課題を解決するための手段】
【００１０】
書類をめくる際に使用する本発明のページめくり付き筆記用具は、筆記用具の側面に、弾力性及び摩擦抵抗性のあるシリコンゴム等のゴム材を貼り付けたことを特徴とする。
【００１１】
また、前記ページめくり付き筆記用具のクリップの形状を外方に向かって膨出したことを特徴とする。
【００１２】
また、前記シリコンゴム等のゴム材をこぶ状の突起にしたことを特徴とする
【００１３】
また、前記ページめくり付き筆記用具のシリコンゴム等のゴム材に凹凸を設けたことを特徴とする。
【発明の効果】
【００１４】
本発明は、筆記用具の側面に弾力性摩及び擦抵抗性のあるシリコンゴム等のゴム材を貼り付け書類をめくる際に使用する。筆記用具の側面にめくる機能を設けることでノック式やクリップ機能を損なうことがない。また、筆記用具の側面にこぶ状の突起にして設けることで、筆記用具軸心より一番遠い位置にあるため、図５で示す様にページをめくる際、紙面に対し筆記用具を斜めにし、頭部を下にした場合、頭部が紙面に接触しにくい。
【００１５】
また、シリコンゴム等のゴム材をこぶ状にすることで、指腹部のような弾力性ができ、紙面に対する接着面が大きくなり、より確実にページをめくることができる。
【００１６】
また、前記シリコンゴム等のゴム材に凹凸を設けることにより、さらに摩擦抵抗が増しページがめくりやすくなる。
【発明を実施するための最良の形態】
【００１７】
本発明のページめくり付き筆記用具は、筆記用具側面に設けたシリコンゴム等のゴム材の部分を紙面に押し付けてページをめくる。
【００１８】
次に、前記ページめくり付き筆記用具について図面に基づいて以下、説明する。
【００１９】
図１は本発明の第１実施例を示し、ページめくり付き筆記用具は筆記用具本体１の一端部にクリップ２の外面に、弾力性及び摩擦抵抗性のあるシリコンゴム等のゴム材４を貼り付けたページめくり付き筆記用具である。より摩擦抵抗を増すため、シリコンゴム等のゴム材に凹凸６を設けている。
【００２０】
図２は本発明の第２実施例を示し、前本体のクリップを外方に向かって膨出したページめくり付き筆記用具である。
【００２１】
図３は、本発明の第３実施例を示し、前記クリップ２の外面に、弾力性及び摩擦抵抗性のあるシリコンゴム等のゴム材のこぶ状突起５を貼り付けたページめくり付き筆記用具である。
【００２２】
図４は、本発明の第４実施例を示し、筆記用具本体１の一端部側面に、弾力性及び摩擦抵抗性のあるシリコンゴム等のゴム材のこぶ状突起５を貼り付けたページめくり付き筆記用具である。
【００２３】
図５は、本発明の第５実施例を示し、筆記用具本体１の一端部側面に、弾力性及び摩擦抵抗性のあるシリコンゴム等のゴム材のこぶ状突起５を貼り付けたページめくり付き筆記用具である。
【００２４】
図６は本発明の実施例３の使用状態を示す。クリップ２に設けたシリコンゴム等のゴム材のこぶ状突起５を紙面に押し付けてページをめくる。紙面との接着面が筆記用具軸心７より遠い位置にあるため、筆記用具頭部が紙面に接触しにくい。
【００２５】
本発明は、弾力性及び摩擦抵抗性のあるシリコンゴム等のゴム材を実施例として説明したが、弾力性及び摩擦抵抗性のある材料であればゴム材以外の材料で代用してもよい。
【図面の簡単な説明】
【００２６】
【図１】本発明の第１実施例を示す斜視図である。
【図２】本発明の第２実施例を示す斜視図である。
【図３】本発明の第３実施例を示す斜視図である。
【図４】本発明の第４実施例を示す斜視図である。
【図５】本発明の第５実施例を示す斜視図である。
【図６】本発明の第３実施例の使用状態図である。
【符号の説明】
【００２７】
１  筆記用具本体
２  クリップ
３  外方に向かって膨出したクリップ
４  シリコンゴム等のゴム材
５  こぶ状の突起
６  凹凸部
７  軸心
【図１】
0004437841.tif 000002
【図２】
0004437841.tif 000003
【図３】
0004437841.tif 000004
【図４】
0004437841.tif 000005
【図５】
0004437841.tif 000006
【図６】
0004437841.tif 000007